(57)【要約】【課題】上下に隣接した羽板の間から室内に入り込む赤外線の量を少なくし、その熱エネルギーで室内温度が上昇することを低減できる目隠し装置とする。【解決手段】横向き姿勢の羽板２を上下方向に間隔を置いて複数有し、その上下に隣接した羽板２の間に太陽光が通過する隙間３を形成した目隠し装置で、その羽板２の上面２ａを直接日射６が再帰反射する形状として室内に入り込む直接日射６の量が減少するようにし、前記羽板２の下面２ｂを間接日射７が複数回連続して反射する形状で、かつ赤外線吸収面として室内に入り込む間接日射７に含まれる赤外線の量を減少することで、室内に入り込む赤外線の量を少なくし、その熱エネルギーで室内温度が上昇することを低減できる。【選択図】図２
2007239251.tif 000002
【特許請求の範囲】
【請求項１】
横向き姿勢の羽板を上下方向に間隔を置いて複数有し、その上下に隣接した羽板の間に太陽光が通過する隙間が形成され、
前記各羽板の直接日射が照射される上面を、その直接日射が再帰反射する形状とし、
前記各羽板の間接日射が照射される下面を、間接日射が複数回連続して反射する形状で、かつ赤外線吸収面としたことを特徴とする目隠し装置。
【請求項２】
羽板の上面を、赤外線反射面とした請求項１記載の目隠し装置。
【請求項３】
羽板の下面を、可視光線反射面とした請求項１又は２記載の目隠し装置。
【発明の詳細な説明】
【技術分野】
【０００１】
本発明は、ルーバー、がらり、がらり戸、ブラインド等、複数の羽板を備え、主として建物壁体の開口部に用いられる目隠し装置に関する。
【背景技術】
【０００２】
従来、建物壁体の開口部に用いられる目隠し装置としては、例えば、特許文献１に開示されたように、複数の羽板を水平姿勢として上下方向に間隔を置いて備え、その上下に隣接した羽板の間から太陽光を室内に採り入れできる、つまり採光できるようにしたブラインドと呼ばれるものが知られている。
【０００３】
【特許文献１】実開昭５６−１６７１９５号公報
【発明の開示】
【発明が解決しようとする課題】
【０００４】
前述した従来の採光できる目隠し装置であれば、太陽光を室内に採り入れできるので、室内を明るくできる。
しかし、太陽光が室内に入り込むと、その太陽光中に含まれる赤外線の熱エネルギーによって室内温度が上昇するので、室内を冷房している夏季には好ましくない。
【０００５】
前述した特許文献１に開示したブラインドにおいては、羽板の一方の面に赤外線放射性を有する膜を形成し、この膜を形成した面を室外側に向かうように羽根を垂直とすることで、太陽光中の赤外線を反射し、その赤外線の熱エネルギーで室内温度が上昇しないようにしている。
しかし、このようにすると上下に隣接する羽板の間から太陽光を室内に採り入れることができない。
すなわち、特許文献１に開示したブラインドでは、上下に隣接した羽根の間から室内に入り込む太陽光中の赤外線の量を低減することはできない。
【０００６】
本発明の目的は、上下に隣接した羽板の間から室内に入り込む赤外線の量を少なくし、その熱エネルギーで室内温度が上昇することを低減できるようにした目隠し装置を提供することである。
【課題を解決するための手段】
【０００７】
本発明は、横向き姿勢の羽板を上下方向に間隔を置いて複数有し、その上下に隣接した羽板の間に太陽光が通過する隙間が形成され、
前記各羽板の直接日射が照射される上面を、その直接日射が再帰反射する形状とし、
前記各羽板の間接日射が照射される下面を、間接日射が複数回連続して反射する形状で、かつ赤外線吸収面としたことを特徴とする目隠し装置である。
【０００８】
本発明においては、羽板の上面を、赤外線反射面とすることができる。
【０００９】
このようにすれば、羽板の上面に照射した直接日射に含まれる赤外線が反射されて羽根に吸収されることが低減するので、羽板から輻射熱として放出する熱エネルギーが低減し、室内温度の上昇をより一層低減することができる。
【００１０】
本発明においては、羽板の下面を、可視光線反射面とすることができる。
【００１１】
このようにすれば、間接日射に含まれる可視光線のみを多く室内に入射させることができる。
【発明の効果】
【００１２】
本発明によれば、羽板の上面に照射される直接日射が再帰反射するので、室内に入り込む直接日射の量が低減する。
また、間接日射は羽板の下面で複数回連続して反射するので、間接日射が赤外線吸収面に当たる回数が多く、赤外線吸収率が高く、室内に入り込む間接日射に含まれる赤外線の量が低減する。
これらが相俟って、室内に入り込む赤外線の量が少なく、赤外線の熱エネルギーで室内温度が上昇することが低減する。
【発明を実施するための最良の形態】
【００１３】
図１に示すように枠体１内に複数の羽板２が上下方向に間隔を置いて取付け、この各羽板２は横向き姿勢、好ましくは水平姿勢で、上下に隣接した羽板２の間には太陽光が通過する隙間３が形成されて目隠し装置、例えばルーバーとしてある。
このようであるから、前記枠体１を建物壁体４の開口部５に取付けることで、上下に隣接した羽板２の間から太陽光が室内に入り込むことができる。
【００１４】
前記羽板２の上面２ａには太陽光の直接日射６が照射される。
この直接日射６が反射して上の羽根２の下面２ｂに当たり、再び反射して上面２ａに当たり反射し、このことが繰り返しされることで直接日射６が室内に入り込むことがある。
前述の羽根２の上面２ａにおける太陽光の直接日射６が照射される領域は、上下に隣接した羽根２の間隔、羽板２の形状、太陽光の照射角度（太陽の南中高度）などによって異なる。
【００１５】
また、羽根２の下面２ｂには太陽光の間接日射７が照射される。
この間接日射７も前述の直接日射６と同様に、羽根２の上面２ａ、下面２ｂでの反射を繰り返して室内に入り込むことがある。
前述の間接日射７とは、地面や建物などから反射した日射である。
【００１６】
このように、直接日射６、間接日射７が室内に入り込むことで、各日射に含まれる赤外線の熱エネルギーで室内温度が上昇する。
本発明は、このことに着目し、室内に入り込む直接日射の量を低減すると共に、室内に入り込む間接日射の赤外線量を低減することで、赤外線の熱エネルギーで室内温度が上昇することを軽減するようにした。
【００１７】
具体的には、図２に示すように羽板２の上面２ａを、照射された直接日射６が再帰反射６ａする形状とした。
また、図２に示すように羽根２の下面２ｂを、照射された間接日射７が複数回連続して反射する形状とし、かつ赤外線吸収塗料を塗布して赤外線吸収面とした。
このようにすることで、羽根２の上面２ａに照射された直接日射６は再帰反射するから、室内に入り込む直接日射の量が低減する。
また、間接日射７は羽根２の下面２ｂで複数回連続して反射するから、間接日射７は赤外線吸収面に複数回当たることで、その間接日射７に含まれる赤外線を吸収する効率（つまり、赤外線吸収率）が向上して多量の赤外線を吸収するので、室内に入り込む間接日射７に含まれる赤外線の量が減少する。
しがたって、室内に入り込む赤外線の量が低減できるので、室内温度の上昇が低減する。
【００１８】
例えば、図２に示すように羽板２の上面２ａは凹凸が連続したほぼ波形状１０で、その各頂部１０ａは仮想中心ａを中心とする円弧ｂ上に位置し、かつ円弧形状である。各底部１０ｂは円弧形状で、かつ隣接した２つの底部１０ｂ，１０ｂと１つの頂部１０ａは、その頂部１０ａが直角な直角二等辺三角形の各頂点に位置するようにしてある。
前記羽板２の下面２ｂは凹部１１が連続した凹凸形状で、その凹部１１は仮想中心ｃに向かうコ字形状で、その開口端１１ａは前述の仮想中心ｃを中心とする円弧ｄ上に位置していると共に、正方形状である。
これによって、間接日射７は凹部１１の一方の側面１１ｂに照射して底面１１ｃに反射し、その底面１１ｃから他方の側面１１ｄに反射し、その側面１１ｄから室内に向けて反射する。つまり、３回反射する。
【００１９】
前述の羽板２の上面２ａに赤外線反射塗料を塗布して上面２ａを赤外線反射面としても良い。
このようにすれば、直接日射６に含まれる赤外線も効率良く反射されて羽根２が吸収する赤外線の量が減少し、輻射熱として放出する熱エネルギーが低減するから、室内温度の上昇をより一層低減することができる。
しかも、羽板２の表面２ａを赤外線を多く吸収する色彩とした場合でも、その羽板２の表面２ａに照射された直接日射６に含まれた赤外線が反射され、羽板２に多く吸収されることがなく、羽板２を自由な色彩とすることができる。
【００２０】
前述の羽板２の下面２ｂに、間接日射７に含まれる可視光線反射塗料を塗布して可視光線反射面としても良い。
このようにすれば、間接日射７に含まれる可視光線が反射されるので、可視光線のみを多く室内に入射させることができる。
【００２１】
前述の赤外線吸収塗料としては、赤外線コーティング（株式会社信州セラミックス製）、近赤外線吸収色素ＹＫＲ５０００シリーズ（山本化成株式会社製）などが利用できる。
前述の赤外線反射塗料としては、ＡＴＴＳＵ−９（日本ペイント株式会社製）が利用できる。
前述の可視光線反射塗料としては、可視光線カットフィルター樹脂ＶＰシリーズ（大日本塗料株式会社製）が利用できる。
前述の各塗料は、羽板２の上面２ａ、下面２ｂに塗布するのに限ることはなく、焼き付け、コーティング等他の手段で付着させることができる。
【００２２】
前述の羽板２は横向き姿勢で固定としてあるが、回動自在として縦向き姿勢、横向き姿勢にできるようにしても良い。
また、枠体１を用いずに複数の羽板をひもなどで連結して吊り下げるようにしても良い。例えば、ブラインドとしても良い。
【図面の簡単な説明】
【００２３】
【図１】本発明の実施の形態を示す全体概略断面図である。
【図２】羽板の詳細断面説明図である。
【符号の説明】
【００２４】
２…羽板、２ａ…上面、２ｂ…下面、６…直接日射、６ａ…再帰反射、７…間接日射。
【図１】
2007239251.tif 000003
【図２】
2007239251.tif 000004